(57)【要約】【課題】二箇所に同時に文字列を印刷可能とし、設備費を比較的安価に抑え、省エネ、省力化を可能とする全自動の複列連動式印刷用番号器の提供。【解決手段】同一筐体ＢＸ内に二つの番号器１，２を二箇所の所定印字位置と合致するように配置し、筐体ＢＸの両端側に同心二軸の複合モータ５を設け、中軸となる第１の回転軸５ａの先端部及び中間部に第１、第２の駆動歯車６ａ、６ｂを固着し、外軸となる第２の回転軸５ｂ所定位置に第３の駆動歯車６ｃを固着し、これに噛合する第１のアイドルギア７ａを被駆動軸７の一端に、他端に第２のアイドルギア７ｂを固着し、これに噛合し、且つ従動自在に第３のアイドルギア７ｃを設け、複数のセンターギア８ａと字輪歯車３ｂ、４ｂを介して字輪３、４を回転駆動可能とし、字送り／桁上げ機構Ｆと字送り角度検出機構Ｋ及び複数の字輪の掛止部材９を具備し、全自動制御する構成としたことを特徴とする。【選択図】        図１
2004188906.tif 000002
【特許請求の範囲】
【請求項１】
中軸となる第１の回転軸を有する第１の駆動モータに、前記第１の回転軸が挿通・回動自在となるように組み合せた外軸となる筒状の第２の回転軸と、これに繋がる第２の駆動モータとを備えて同心二軸の複合モータを形成し、同一筐体内に文字列同順の二つの番号器を二箇所の所定印字位置と合致するように配置し、前記筐体の両端側に前記同心二軸の複合モータから成る駆動源を設け、第２の回転軸よりも伸延した中軸となる第１の回転軸の先端部及び中間部に第１、第２の駆動歯車を固着し、また駆動源側に後退した外軸となる筒状の第２の回転軸所定位置に第３の駆動歯車を固着し、この第３の駆動歯車に噛合して第１のアイドルギアを設け、この第１のアイドルギアを一端に固着して伸びる被駆動軸の他端に第２のアイドルギアを固着し、この第２のアイドルギアに噛合し、且つ前記第１の回転軸に遊嵌して従動自在に第３のアイドルギアを設け、更に字輪に添設された字輪歯車に噛合して字輪自体を回転駆動し、且つ二つの番号器共通のセンター軸上にセンターギアを複数具備し、第１駆動歯車と第２駆動歯車は夫々前記センターギア及び字輪歯車を介して対応する各々の番号器の同順位の字輪を駆動し、第３駆動歯車は被駆動軸に固着された第１アイドルギア及び第２アイドルギアを介し更に第３アイドルギアと前記センターギア及び字輪歯車を介して対応する一つの番号器の対応順位の字輪を駆動し、一方第３駆動歯車はセンターギア及び字輪歯車を介して対応するもう一つの番号器の対応順位の字輪を駆動する構成とし、前記二つの番号器共に、夫々伝達歯車となる複数のセンターギアを介し、この複数のセンターギアに対応して文字面を突設・周設した複数の字輪と夫々一体に添設成形された字輪歯車に作用して字送り及び桁上げ可能な字送り／桁上げ機構を有し、前記二つの番号器夫々に対応する同一センター軸上のセンターギアに字送り及び桁上げの動作チェックを行う字送り角度検出機構を具備し、且つ複数の字輪と一体成形された複数の字輪歯車に対して同時に一括して係合し、前記複数の字輪を所定位置で掛止するための掛止部材を二つの番号器夫々に対応して備えた構成とし、複数の字輪を列設して複数桁の文字列の字送り及び停止を全て自動的に制御可能とすることを特徴とする複列連動式印刷用番号器。
【請求項２】
請求項１記載の複列連動式印刷用番号器において、前記字送り角度検出機構は、前記センターギアの側面に所望径のマグネット塊を回転角度基準で所定位置に複数配設し、磁気センサを用いて前記センターギアの回転角度を検出し、前記字輪の字送り確認チェック機能を備えて成ることを特徴とする複列連動式印刷用番号器。
【請求項３】
請求項１記載の複列連動式印刷用番号器において、駆動源となる中軸及び外軸を有する同心二軸複合モータの駆動軸及びこの駆動軸の回転駆動作用をギアを介して伝達する被駆動軸の相互に対応する所定の軸位置にギアを固設すると共に、二つの番号器に共通、且つ対応するセンターギアを介して字輪歯車と一体の字輪に回転駆動作用を伝達する構成とし、二つの番号器の同順位の二つの字輪に連動して作用し、二つの番号器に対し合わせて四つの字輪を連動して同時に字送り／桁上げ動作を可能とし、駆動源１で字輪４を動作可能な構成としたことを特徴とする複列連動式印刷用番号器。
【発明の詳細な説明】
【０００１】
【発明の属する技術分野】
本発明は、複列連動式印刷用番号器に係り、特に二つの番号器を同一筐体内に収納した複列連動式印刷用番号器に関する。
【０００２】
【従来の技術】
従来、必要な印刷文字列に対して番号器本体の大きさの制約から文字列を構成する全ての文字の字送りを同心二軸複合モータを用いることで、全自動番号器とした事例がある（既存の装置を改良した発明。）。
【０００３】
【発明が解決しようとする課題】
然しながら、上述の例では、例えば、有価証券一枚に対し番号器が二台必要であり、省エネ、省力、設備費等の面から、改良が望まれる。
【０００４】
本発明は、上述の点に着目して成されたもので、二つの番号器を同一筐体内に収納し、番号器を複列連動式とし、二箇所に同時に文字列を印刷可能とし、且つ駆動源を増やすことなく、複数桁の文字列の字送り及び停止を全て自動的に制御可能とし、設備費を比較的安価に抑え、省エネ、省力化を可能とする複列連動式印刷用番号器を提供することを目的とする。
【０００５】
【課題を解決するための手段】
本発明は、下記構成を備えることにより上記課題を解決できるものである。
【０００６】
（１）中軸となる第１の回転軸を有する第１の駆動モータに、前記第１の回転軸が挿通・回動自在となるように組み合せた外軸となる筒状の第２の回転軸と、これに繋がる第２の駆動モータとを備えて同心二軸の複合モータを形成し、同一筐体内に文字列同順の二つの番号器を二箇所の所定印字位置と合致するように配置し、前記筐体の両端側に前記同心二軸の複合モータから成る駆動源を設け、第２の回転軸よりも伸延した中軸となる第１の回転軸の先端部及び中間部に第１、第２の駆動歯車を固着し、また駆動源側に後退した外軸となる筒状の第２の回転軸所定位置に第３の駆動歯車を固着し、この第３の駆動歯車に噛合して第１のアイドルギアを設け、この第１のアイドルギアを一端に固着して伸びる被駆動軸の他端に第２のアイドルギアを固着し、この第２のアイドルギアに噛合し、且つ前記第１の回転軸に遊嵌して従動自在に第３のアイドルギアを設け、更に字輪に添設された字輪歯車に噛合して字輪自体を回転駆動し、且つ二つの番号器共通のセンター軸上にセンターギアを複数具備し、第１駆動歯車と第２駆動歯車は夫々前記センターギア及び字輪歯車を介して対応する各々の番号器の同順位の字輪を駆動し、第３駆動歯車は被駆動軸に固着された第１アイドルギア及び第２アイドルギアを介し更に第３アイドルギアと前記センターギア及び字輪歯車を介して対応する一つの番号器の対応順位の字輪を駆動し、一方第３駆動歯車はセンターギア及び字輪歯車を介して対応するもう一つの番号器の対応順位の字輪を駆動する構成とし、前記二つの番号器共に、夫々伝達歯車となる複数のセンターギアを介し、この複数のセンターギアに対応して文字面を突設・周設した複数の字輪と夫々一体に添設成形された字輪歯車に作用して字送り及び桁上げ可能な字送り／桁上げ機構を有し、前記二つの番号器夫々に対応する同一センター軸上のセンターギアに字送り及び桁上げの動作チェックを行う字送り角度検出機構を具備し、且つ複数の字輪と一体成形された複数の字輪歯車に対して同時に一括して係合し、前記複数の字輪を所定位置で掛止するための掛止部材を二つの番号器夫々に対応して備えた構成とし、複数の字輪を列設して複数桁の文字列の字送り及び停止を全て自動的に制御可能とする複列連動式印刷用番号器。
【０００７】
（２）前項（１）記載の複列連動式印刷用番号器において、前記字送り角度検出機構は、前記センターギアの側面に所望径のマグネット塊を回転角度基準で所定位置に複数配設し、磁気センサを用いて前記センターギアの回転角度を検出し、前記字輪の字送り確認チェック機能を備えて成る複列連動式印刷用番号器。
【０００８】
（３）前項（１）記載の複列連動式印刷用番号器において、駆動源となる中軸及び外軸を有する同心二軸複合モータの駆動軸及びこの駆動軸の回転駆動作用をギアを介して伝達する被駆動軸の相互に対応する所定の軸位置にギアを固設すると共に、二つの番号器に共通、且つ対応するセンターギアを介して字輪歯車と一体の字輪に回転駆動作用を伝達する構成とし、二つの番号器の同順位の二つの字輪に連動して作用し、二つの番号器に対し合わせて四つの字輪を連動して同時に字送り／桁上げ動作を可能とし、駆動源１で字輪４を動作可能な構成とした複列連動式印刷用番号器。
【０００９】
【発明の実施の形態】
以下、本発明に係る複列連動式印刷用番号器の実施の形態について説明する。
【００１０】
図１（ａ）は、本発明に係る複列連動式印刷用番号器の外観平面図、（ｂ）は要部構成を示す縦断面図、図２は、同心二軸複合モータと回転駆動作用の伝達機構の一例を示す要部平面図、図３（ａ）は、図２の正面図、（ｂ）は、Ａ−Ａ矢視図、図４（ａ）は、二つの番号器とセンターギアとの関係及び字送り角度検出機構の要部構成を示す平面図、（ｂ）は、Ｂ−Ｂ断面図、図５は、字輪と掛止部材の作用関係を示す要部断面図である。
【００１１】
以下、実施例について図面を参照して説明する。
【００１２】
（実施例）
例えば、有価証券等の斜めに対向する上下位置の二箇所に記号・番号等の文字列を同時に印刷する複列連動式印刷用番号器において、中軸となる第１の回転軸５ａを有する第１の駆動モータ５１に、前記第１の回転軸５ａが挿通・回動自在となるように組み合せた外軸となる筒状の第２の回転軸５ｂと、これに繋がる第２の駆動モータ５２とを備えて同心二軸の複合モータ５を形成し、同一筐体ＢＸに文字列同順の二つの第１、第２番号器を形成する１、２を、例えば、図示するように平面的に見て対角線上の対象位置、且つ二箇所の所定印字位置と合致するように配置し、前記筐体ＢＸの両端側に前記同心二軸の複合モータ５から成る駆動源を設け、第２の回転軸５ｂよりも伸延した中軸となる第１の回転軸５ａの先端部及び中間部に第１、第２の駆動歯車６ａ、６ｂを固着し、また駆動源側に後退した外軸となる筒状の第２の回転軸５ｂ所定位置に第３の駆動歯車６ｃを固着し、この第３の駆動歯車６ｃに噛合して第１のアイドルギア７ａを設け、この第１のアイドルギア７ａを一端に固着して伸びる被駆動軸７の他端に第２のアイドルギア７ｂを固着し、この第２のアイドルギア７ｂに噛合し、且つ前記第１の回転軸５ａに遊嵌して従動自在に第３のアイドルギア７ｃを設け、更に字輪４に添設された字輪歯車４ｂに噛合して字輪４自体を回転駆動し、且つ二つの番号器１、２共通のセンター軸８上にセンターギア８ａを複数具備し、第１駆動歯車６ａと第２駆動歯車６ｂは、夫々前記センターギア８ａ及び字輪歯車３ｂ、４ｂを介して対応する各々の番号器、１、２の同順位の字輪３、４を駆動し、第３駆動歯車６ｃは被駆動軸７に固着された第１のアイドルギア７ａ及び第２のアイドルギア７ｂを介し更に第３のアイドルギア７ｃと前記センターギア８ａ及び字輪歯車４ｂを介して対応する一つの番号器２の対応順位の字輪４を駆動し、一方第３駆動歯車６ｃはセンターギア８ａ及び字輪歯車３ｂを介して対応するもう一つの番号器１の対応順位の字輪３を駆動する構成とし、前記二つの番号器１、２共に、夫々伝達歯車となる複数のセンターギア８ａを介し、この複数のセンターギア８ａに対応して文字面３ａ、４ａを突設・周設した複数の字輪３、３…、４、４…と夫々一体に添設成形された字輪歯車３ｂ、３ｂ…、４ｂ、４ｂ…に作用して字送り及び桁上げ可能な字送り／桁上げ機構Ｆを有し、前記二つの番号器１、２夫々に対応する同一センター軸８上のセンターギア８ａ、８ａ…に字送り及び桁上げの動作チェックを行う字送り角度検出機構Ｋ、Ｋ…を具備し、且つ複数の字輪３、３…、４、４…と一体成形された複数の字輪歯車３ｂ、３ｂ…、４ｂ、４ｂ…に対して同時に一括して係合し、前記複数の字輪３、３…、４、４…を所定位置で掛止するための掛止部材９、９を二つの番号器１、２夫々に対応して備えた構成とし、複数の字輪３、３…、４、４…を列設して複数桁の文字列の字送り及び停止を全て自動的に制御可能として有る。
【００１３】
字送り角度検出機構Ｋ、Ｋ…は、前記センターギア８ａ、８ａ…の側面各々に所望径のマグネット塊Ｍを回転角度基準で所定位置に複数配設し、対応して複数配設した磁気センサ（またはホール素子センサ）Ｓを用いて前記センターギア８ａ、８ａ…の回転角度を検出し、前記字輪３、３…、４、４…の字送り確認チェック機能を備えている。
【００１４】
駆動源となる同心二軸複合モータ５の駆動軸となる第１の回転軸（中軸）５ａ及び第２の回転軸（外軸）５ｂの回転駆動作用を相互にギア６ｃ，７ａを介して伝達する被駆動軸７の相互に対応する所定の軸位置にギア７ａ、７ｂを固設すると共に、二つの番号器１、２に共通、且つ対応するセンターギア８ａを介して字輪歯車３ｂ、４ｂと一体の字輪３、４に回転駆動作用を伝達する構成とし、二つの番号器の同順位の二つの字輪３、４に連動して作用し、二つの番号器に対し合わせて四つの字輪を連動して同時に字送り／桁上げ動作を可能とし、駆動源一つで字輪四つを動作可能な構成としてある。
【００１５】
１台の同心二軸複合モータ５（以下、駆動源５と呼ぶ場合あり）に対し、図２、図３に示すように各構成要素を組み合せたことで、筐体ＢＸの一側に３台の駆動源５を、他側に３台の駆動源５を夫々配設し、合計６台で二つの番号器を全て自動で制御可能である。
【００１６】
前述したように、同心二軸の複合モータ５は、ステッピングモータ（パルスモータ）から成る第１、第２駆動モータ５１，５２で構成され、夫々独立して回転駆動自在である。
【００１７】
掛止部材９、９（図１（ｂ）参照）の先端は、図５に示すように、複数の字輪歯車３ｂ、３ｂ…、４ｂ、４ｂ…の歯車谷部に係合可能な櫛歯形状をした掛止部９ａ、９ａ…を形成し、揺動支点９ｂを通して伸びたアームの端部所定位置に係合部９ｃを有し、ソレノイド１１，１１が消磁された状態で、前記掛止部９ａ、９ａ…が字輪歯車３ｂ、３ｂ…、４ｂ、４ｂ…の歯車谷部に係合して所定回転角度で字輪３、３…、４、４…がバネ部材１０、１０の押圧作用により連携部９ｄ、９ｄを介して掛止・固定され、印字可能な状態となり、印字が終って字送り／桁上げ動作をする時は、ソレノイド１１、１１を磁化した状態で、掛止部材９、９の後端の係合部９ｃ、９ｃをソレノイド１１、１１側に引き付け、揺動支点９ｂ、９ｂを中心に連携部９ｄ、９ｄを介し、バネ部材１０、１０の押圧力に抗して掛止部材９、９の先端に形成された掛止部９ａ、９ａ…は字輪歯車３ｂ、３ｂ…、４ｂ、４ｂ…の歯車谷部から離隔し、字輪３、３…、４、４…の字送り／桁上げ動作が可能となる構成としてある。尚、ソレノイド１１も掛止部材９と共に、一つの番号器に対し１対として設けてある。
【００１８】
前記二つの番号器１、２を収納した筐体ＢＸの下面は印刷機のマウントリング１４に装着可能とする為、断面円弧状のアリ１３を備え、マウントリング１４のアリ溝に嵌装する構成としてある。そしてマウントリング１４の大きさに合せて二つの番号器の字輪の間隔を印字位置に適合するように設置角度θを、例えば１６度としてある。
【００１９】
即ち、図２及び図３に示すように駆動源一つに対し各要素を組み合せた構成とし、駆動源合計６に対し、同じ要領で組み合せた構成とすることで、本発明の複列連動式印刷用番号器を完成させることが出来る。
【００２０】
他の符号について、Ｓｐはセンサ基板ＳＢを基板取付シャフト１２に所定間隔で位置決めする為のスペーサである(図４参照)。
【００２１】
上述の構成及び図面を参照して作用を説明する。
【００２２】
二つの番号器１、２は、駆動源及び歯車等から成る構成要素を筐体ＢＸ内に収納して一体となった状態で、印刷機のマウントリング１４のアリ溝に断面円弧状のアリ１３を嵌装して組み込み、例えば、現在記号を含めて文字列が９桁の場合、この９桁全てを、先ずソレノイド１１、１１を磁化して、掛止部材９、９を字輪歯車３ｂ、３ｂ…、４ｂ、４ｂ…から離隔させ、同心二軸の複合モータ５を構成するステッピングモータ５１、５２を通電して字送り／桁上げ機構Ｆを作動させ、印刷する記号番号等の文字列の各桁に対応する字輪３、３…、４，４…を、字輪歯車３ｂ、３ｂ…、４ｂ、４ｂ…を介して所定角度回転させる。
【００２３】
回転角度は、センターギア８ａの側面に設けられた所望径のマグネット塊Ｍと磁気センサ（ホール素子センサ）Ｓで構成された字送り角度検出機構Ｋにより、割出し位置決めされる。
【００２４】
印刷すべき文字列が所定位置に配列された状態で、ソレノイド１１、１１に通電開として、掛止部材９、９の後端に設けられた係合部９ｃ、９ｃがソレノイド１１、１１側から離れた状態で、掛止部材９、９の先端の櫛歯形状をした掛止部９ａ…が字輪３、３…、４、４…と一体成形された字輪歯車３ｂ、３ｂ…、４ｂ、４ｂ…の歯車谷部にバネ部材１０、１０の押圧作用で同時に一括して係合し、字輪３、３…、４、４…が掛止・固定されて印刷可能な状態となる。
【００２５】
全ての構成要素の作用は、不図示の制御装置により二つの番号器の全字輪を自動的に操作可能である。
【００２６】
また、本実施例では、例えば、一つの番号器の文字列合計を現行の９桁で説明したが、本発明の印刷用番号器では、一つの番号器で１２桁まで印刷可能であり、従って二つの番号器で字輪２４まで制御可能である。
【００２７】
また、番号器本体１、２は、字輪及び字輪歯車と共に、夫々筐体から外して所望部位のクリーニングが可能な着脱式構成となっている。
【００２８】
尚、将来一列の印刷文字の桁数増加にも対応可能であることは勿論である。
【００２９】
【発明の効果】
以上説明したように本発明によれば、二つの番号器を同一筐体内に収納し、番号器を複列連動式とし、二箇所に同時に文字列を印刷可能とし、且つ駆動源を増やすことなく、複数桁の文字列の字送り及び停止を全て自動的に制御可能とし、設備費を比較的安価に抑え、省エネ、省力化を可能とする複列連動式印刷用番号器を提供することが出来る。
【図面の簡単な説明】
【図１】（ａ）本発明に係る複列連動式印刷用番号器の外観平面図、（ｂ）要部構成を示す縦断面図
【図２】同心二軸複合モータと回転駆動作用の伝達機構の一例を示す要部平面図
【図３】（ａ）図２の正面図、（ｂ）Ａ−Ａ矢視図
【図４】（ａ）二つの番号器とセンターギアとの関係及び字送り角度検出機構の要部構成を示す平面図、（ｂ）Ｂ−Ｂ断面図
【図５】字輪と掛止部材の作用関係を示す要部断面図
【符号の説明】
１、２  番号器
３、４  字輪
３ａ、４ａ  文字面
３ｂ、４ｂ  字輪歯車
５  同心二軸複合モータ（駆動源）
５ａ  第１の回転軸（中軸）
５ｂ  第２の回転軸（外軸）
５１  第１の駆動モータ
５２  第２の駆動モータ
６ａ  第１の駆動歯車
６ｂ  第２の駆動歯車
６ｃ  第３の駆動歯車
７  被駆動軸
７ａ  第１のアイドルギア
７ｂ  第２のアイドルギア
７ｃ  第３のアイドルギア
８  センター軸
８ａ  センターギア
９  掛止部材
９ａ  （櫛歯状の）掛止部
１０  バネ部材
１１  ソレノイド
Ｆ  字送り／桁上げ機構
Ｋ  字送り角度検出機構
Ｍ  マグネット塊
Ｓ  磁気センサ（ホール素子センサ）
【図１】
2004188906.tif 000003
【図２】
2004188906.tif 000004
【図３】
2004188906.tif 000005
【図４】
2004188906.tif 000006
【図５】
2004188906.tif 000007